(57)【要約】【課題】既存のシステムを維持しつつ、低コストで医療機器からの情報を円滑に管理サーバ等に送信することができる医療機器及び医療機器を用いた連携通信システムを提供すること。【解決手段】患者の生体情報を管理する管理サーバ５０及び／又は他の医療機器と通信するための通信手段１３と、他の医療機器のための中継通信手段として機能し得るか否かの中継通信可否情報を記憶する中継通信可否情報記憶部３１、３３と、他の医療機器から中継通信可否情報を取得して、当該他の医療機器を中継通信手段とし、中継通信手段とされた他の医療機器を用いて、管理サーバとの通信経路を探索する通信経路探索手段２１と、を有する医療機器１０ａ。【選択図】図９
2011176745.tif 000002
【特許請求の範囲】
【請求項１】
患者の生体情報を管理する管理サーバ及び／又は他の医療機器と通信するための通信手段と、
前記他の医療機器のための中継通信手段として機能し得るか否かの中継通信可否情報を記憶する中継通信可否情報記憶部と、
前記他の医療機器から前記中継通信可否情報を取得して、当該他の医療機器を前記中継通信手段とし、前記中継通信手段とされた前記他の医療機器を用いて、前記管理サーバとの通信経路を探索する通信経路探索手段と、を有する構成となっていることを特徴とする医療機器。
【請求項２】
前記中継通信可否情報が、
当該医療機器が通信状態又は非通信状態であるかを示す通信状態情報と、
当該医療機器が前記他の医療機器の前記中継通信手段として動作しているか否かを示す中継通信動作情報と、
当該医療機器が通信禁止位置に配置されているか否かの通信不可位置情報と、を有することを特徴とする請求項１に記載の医療機器。
【請求項３】
前記通信経路探索手段は、
当該医療機器と直接通信が可能な前記他の医療機器の前記通信状態情報、前記中継通信動作情報及び前記通信不可位置情報を取得する医療機器情報取得手段を有し、
前記他の医療機器の前記通信状態情報、前記中継通信動作情報及び前記通信不可位置情報に基づき、前記中継通信手段となり得る中継通信手段候補医療機器情報を生成し、
前記中継通信手段候補医療機器情報に基づき、当該中継通信手段候補医療機器から前記管理サーバに直接又は前記他の医療機器を介して間接に連携する通信経路連携情報を生成することを特徴とする請求項１又は請求項２に記載の医療機器。
【請求項４】
前記医療機器情報取得手段が、前記通信経路連携情報において前記管理サーバとの間に介在する前記他の医療機器の前記通信状態情報、前記中継通信動作情報及び前記通信不可位置情報を取得し、これらの情報に基づき、修正通信経路連携情報を生成することを特徴とする請求項３に記載の医療機器。
【請求項５】
患者の生体情報を取得する医療機器と、
前記医療機器から送信される生体情報を管理する管理サーバと、を有する連携通信システムであって、
前記医療機器は、患者の生体情報を管理する管理サーバ及び／又は他の医療機器と通信するための通信手段と、
前記他の医療機器のための中継通信手段として機能し得るか否かの中継通信可否情報を記憶する中継通信可否情報記憶部と、
前記他の医療機器から前記中継通信可否情報を取得して、当該他の医療機器を前記中継通信手段とし、前記中継通信手段とされた前記他の医療機器を用いて、前記管理サーバとの通信経路を探索する通信経路探索手段と、を有することを特徴とする連携通信システム。
【発明の詳細な説明】
【技術分野】
【０００１】
本発明は、例えば、測定機器等の医療機器が取得した生体情報等のバイタルデータを管理サーバ等に送信する際に中継器としても機能する医療機器及びこの医療機器を用いた連携通信システムに関するものである。
【背景技術】
【０００２】
従来より、病院内等には、患者の生体情報（バイタル情報）を取得するための例えば、血糖値測定器等の医療機器が配置され、この医療機器が取得した情報は、無線等で病院等の管理サーバに送信され、一元管理されている。
しかし、病院内では、各種の医療機器を電子制御しており、かかる医療機器に悪影響を与えないために、無線通信の出力等に制限が定められている。
このため、上記血糖測定器等の医療機器の配置場所によっては、管理サーバに無線でデータを送信できないという問題があった。
この場合、この血糖測定機器等の医療機器は、取得したバイタル情報を内部に蓄積しておき、同医療機器が通信可能領域に移動した後、一括して、内部に蓄積した情報を管理サーバに送信する構成となっていた。
しかし、血糖測定機器等の医療機器の記憶領域の容量も限度があるため、その限度を超えたバイタル情報は蓄積できず、その結果、管理サーバで管理できないという問題があった。
【０００３】
このため、例えば、病院の各部屋に無線親機を配置し、これらをＬＡＮ等でサーバに接続し、測定機器等からのバイタル情報は、測定機器から各部屋の無線親機に無線で送信するというシステムが提案されている（例えば、特許文献１）。
【先行技術文献】
【特許文献】
【０００４】
【特許文献１】特開２００７−３１０７５９号公報
【発明の概要】
【発明が解決しようとする課題】
【０００５】
しかし、このようなシステムを構築するには、新たに設備を病院等に設置する必要があり、膨大な費用がかかるという問題があった。
【０００６】
そこで、本発明は、既存のシステムを維持しつつ、低コストで医療機器からの情報を円滑に管理サーバ等に送信することができる医療機器及び医療機器を用いた連携通信システムを提供することを目的とする。
【課題を解決するための手段】
【０００７】
上記課題は、本発明にあっては、  患者の生体情報を管理する管理サーバ及び／又は他の医療機器と通信するための通信手段と、前記他の医療機器のための中継通信手段として機能し得るか否かの中継通信可否情報を記憶する中継通信可否情報記憶部と、前記他の医療機器から前記中継通信可否情報を取得して、当該他の医療機器を前記中継通信手段とし、前記中継通信手段とされた前記他の医療機器を用いて、前記管理サーバとの通信経路を探索する通信経路探索手段と、を有する構成となっていることを特徴とする医療機器により達成される。
【０００８】
前記構成によれば、患者の生体情報を管理する管理サーバ及び／又は他の医療機器と通信するための通信手段と、他の医療機器のための中継通信手段として機能し得るか否かの中継通信可否情報を記憶する中継通信可否情報記憶部と、他の医療機器から中継通信可否情報を取得して、当該他の医療機器を中継通信手段とし、中継通信手段とされた他の医療機器を用いて、管理サーバとの通信経路を探索する通信経路探索手段と、を有している。
このため、例えば、或る医療機器が、管理サーバの通信可能範囲内に配置されてなく、直接通信できない位置に配置されている場合でも、当該医療機器の通信範囲内にある他の医療機器から中継通信可否情報を取得し、その他の医療機器が自己の中継器等として機能するか否かを判断することできる。
【０００９】
そして、中継器等として機能し得る他の医療機器を介在させることで、管理サーバに自己が取得した生体情報を送信することができる。
したがって、通信出力に制限が加えられている病院等においても、従来例のように病院等に新たな設備を設置することなく、低コストで医療機器は、その取得した生体情報を管理サーバに送信することができる。
【００１０】
好ましくは、前記中継通信可否情報が、当該医療機器が通信状態又は非通信状態であるかを示す通信状態情報と、当該医療機器が前記他の医療機器の前記中継通信手段として動作しているか否かを示す中継通信動作情報と、当該医療機器が通信禁止位置に配置されているか否かの通信不可位置情報と、を有することを特徴とする医療機器である。
【００１１】
前記構成によれば、医療機器が、中継通信可否情報として、当該医療機器が通信状態又は非通信状態であるかを示す通信状態情報と、当該医療機器が他の医療機器の中継通信手段として動作しているか否かを示す中継通信動作情報と、当該医療機器が通信禁止位置に配置されているか否かの通信不可位置情報とを有している。
このため、他の医療機器は、当該医療機器のかかる情報を取得することで、当該医療機器が他の医療機器の生体情報の送信のための中継通信手段となり得るかを容易に判断することができる。
【００１２】
好ましくは、前記通信経路探索手段は、当該医療機器と直接通信が可能な前記他の医療機器の前記通信状態情報、前記中継通信動作情報及び前記通信不可位置情報を取得する医療機器情報取得手段を有し、前記他の医療機器の前記通信状態情報、前記中継通信動作情報及び前記通信不可位置情報に基づき、前記中継通信手段となり得る中継通信手段候補医療機器情報を生成し、前記中継通信手段候補医療機器情報に基づき、当該中継通信手段候補医療機器から前記管理サーバに直接又は前記他の医療機器を介して間接に連携する通信経路連携情報を生成することを特徴とする医療機器である。
【００１３】
前記構成によれば、通信経路探索手段は、当該医療機器と直接通信が可能な他の医療機器の通信状態情報、中継通信動作情報及び通信不可位置情報を取得する医療機器情報取得手段を有し、他の医療機器の通信状態情報、中継通信動作情報及び通信不可位置情報に基づき、中継通信手段となり得る中継通信手段候補医療機器情報を生成する。
このため、当該医療機器と直接通信が可能で中継通信手段となり得る他の医療機器を中継通信手段候補医療機器情報として選択することができる。
【００１４】
また、前記構成では、中継通信手段候補医療機器情報に基づき、中継通信手段候補医療機器から管理サーバに直接又は他の医療機器を介して間接に連携する通信経路連携情報を生成する。
このため、当該医療機器と管理サーバとの間に２以上の他の医療機器が介在する情報も生成することができる。
【００１５】
好ましくは、前記医療機器情報取得手段が、前記通信経路連携情報において前記管理サーバとの間に介在する前記他の医療機器の前記通信状態情報、前記中継通信動作情報及び前記通信不可位置情報を取得し、これらの情報に基づき、修正通信経路連携情報を生成することを特徴とする医療機器である。
【００１６】
前記構成によれば、医療機器情報取得手段が、通信経路連携情報において管理サーバとの間に介在する他の医療機器の通信状態情報、中継通信動作情報及び通信不可位置情報を取得し、これらの情報に基づき、修正通信経路連携情報を生成する。
このため、当該医療機器と管理サーバとの間の２以上の他の医療機器を介在させる場合でも、当該医療機器と間接に通信を行う他の医療機器が中継通信手段として機能し得るか否か判断することができ、確実に、当該医療機器が取得した生体情報を管理サーバに送信することができる。
【００１７】
前記課題は本発明によれば、患者の生体情報を取得する医療機器と、前記医療機器から送信される生体情報を管理する管理サーバと、を有する連携通信システムであって、前記医療機器は、患者の生体情報を管理する管理サーバ及び／又は他の医療機器と通信するための通信手段と、前記他の医療機器のための中継通信手段として機能し得るか否かの中継通信可否情報を記憶する中継通信可否情報記憶部と、前記他の医療機器から前記中継通信可否情報を取得して、当該他の医療機器を前記中継通信手段とし、前記中継通信手段とされた前記他の医療機器を用いて、前記管理サーバとの通信経路を探索する通信経路探索手段と、を有することを特徴とする連携通信システムにより達成される。
【００１８】
なお、前記修正通信経路連携情報に基づき、当該医療機器から前記管理サーバまでの間で、最も前記他の医療機器の介在が少ない経路を探索し特定する医療機器してもよい。
【００１９】
前記構成によれば、修正通信経路連携情報に基づき、当該医療機器から管理サーバまでの間で、最も他の医療機器の介在が少ない経路を探索し特定する構成となっている。
このため、当該医療機器から管理サーバまで生体情報を送信するうえで、最も効率の良い経路を選択することができる。
【００２０】
また、前記中継通信手段として機能している前記他の医療機器の中継通信が後発的に通信不可となったときに、前記他の医療機器から通信状態不可情報を受信する医療機器としてもよい。
【００２１】
前記構成によれば、中継通信手段として機能している他の医療機器の中継通信が後発的に通信不可となったときに、他の医療機器から通信状態不可情報を受信する構成となっている。
このため、当該医療機器は、生体情報の管理サーバへの通信が途切れたこと等を迅速に把握することができ、他の経路に迅速に変更することができる。
【００２２】
また、通信可能な移動情報端末装置を探索するための移動情報端末装置探索手段を有する医療機器としてもよい。
【００２３】
前記構成によれば、通信可能な移動情報端末装置を探索するための移動情報端末装置探索手段を有している。
このため、たとえ、当該医療機器が、その生体情報を他の医療機器を介して管理サーバに送信することができなくても、移動情報端末装置に、その生体情報を送信することができる。
そして、この移動情報端末装置が管理サーバの通信範囲内に移動することで、かかる生体情報を移動情報端末装置から管理サーバへ送信することができる。
【発明の効果】
【００２４】
以上説明したように、本発明によれば、既存のシステムを維持しつつ、低コストで医療機器からの情報を円滑に管理サーバ等に送信することができる医療機器及び医療機器を用いた通信連携通信システムを提供することができる。
【図面の簡単な説明】
【００２５】
【図１】本発明の実施の形態にかかる医療機器である例えば、血糖値測定器、管理サーバ及び移動情報端末装置である例えば、移動情報端末の関係を示す概略図である。
【図２】図１の主に管理サーバ及び移動情報端末の構成を示す概略ブロック図である。
【図３】図１の血糖値測定器等の主な構成を示す概略ブロック図である。
【図４】図３の各種データ記憶部の内容を示す概略ブロック図である。
【図５】本発明の連携通信システムの実施の形態の主な動作等を示す概略フローチャートである。
【図６】本発明の連携通信システムの実施の形態の主な動作等を示す他の概略フローチャートである。
【図７】本発明の連携通信システムの実施の形態の主な動作等を示す他の概略フローチャートである。
【図８】本発明の連携通信システムの実施の形態の主な動作等を示す他の概略フローチャートである。
【図９】血糖値測定器等の配置例を示す概略説明図である。
【発明を実施するための形態】
【００２６】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２７】
図１は、本発明の実施の形態にかかる医療機器であり、生体情報測定装置である、例えば、血糖値測定器１０ａ、管理サーバ５０及び移動情報端末装置である例えば、移動情報端末９０（例えば、ＰＤＡ（Ｐｅｒｓｏｎａｌ  Ｄｉｇｉｔａｌ  Ａｓｓｉｓｔａｎｔｓ）の関係を示す概略図である。
図１に示すように、血糖値測定器１０ａ、管理サーバ５０及び移動情報端末９０は、例えば、病院等内に配置されている。そして、血糖値測定器１０ａは、各患者のベッド脇等に配置され、患者の血糖値データを取得すると共に、取得した血糖値データを無線で管理サーバ５０に送信する構成となっている。なお、医療機器としては、血圧測定装置、輸液ポンプ，シリンジポンプ等の輸液装置、これらの医療機器をモニタ・制御する医療機器用モニタ装置等も含まれる。
また、血糖値測定器１０ａは、輸液ポンプ，シリンジポンプ等の輸液装置，医療機器用モニタ装置等他の医療機器１０ｂ等とも相互に通信可能な構成となっており、血糖値測定器１０ａが取得した血糖値データを、他の医療機器１０ｂに送信可能な構成ともなっている。
管理サーバ５０は、各血糖値測定器１０ａから受信した各患者の血糖値データを一元管理する構成となっている。
【００２８】
また、病院内では、医療従事者である例えば、看護師等が移動情報端末９０を必要に応じて持参している。
この移動情報端末９０は、血糖値測定器１０ａや管理サーバ５０と電波（例えば１３．５６ＭＨｚの電波を用いた電磁誘導方式による送受信や９００ＭＨｚの電波を用いた電波方式による送受信）を用いて無線通信可能な構成となっており、電子体温計、電子血圧計、パルスオキシメータから受信した生体情報である体温，血圧，血中酸素飽和度、血糖値測定器１０ａから受信した血糖値データを、管理サーバ５０に送信できる構成となっている。
【００２９】
図１に示す血糖値測定器１０ａ等、管理サーバ５０及び移動情報端末９０は、コンピュータ等を有し情報を制御等している。
このコンピュータは、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を有し、これらは、例えばバス等を介して配置されている。
このバスは、すべてのデバイスを接続する機能を有し、アドレスやデータパスを有する内部パスである。ＣＰＵは所定のプログラムの処理を行う他、バスに接続されたＲＯＭ等を制御し、図５から図８における処理フローにおいて各種判断を行なう判断部として機能する。
ＲＯＭは、各種プログラムや各種情報等を格納している。ＲＡＭは、プログラム処理中のメモリの内容を対比したり、プログラムを実行するためのエリアとしての機能を有する。
【００３０】
図２は、図１の主に管理サーバ５０及び移動情報端末９０の構成を示す概略ブロック図である。
図２に示すように、管理サーバ５０は、管理サーバ側制御部５１を有し、管理サーバ側通信装置５２、管理サーバ側ディスプレイ５３、管理サーバ側入力装置５４及び管理サーバ側データ等記憶部５５等を有している。
すなわち、血糖値測定器１０ａ等から取得した生体情報である例えば、血糖値データは、管理サーバ側通信装置５２で受信され、管理サーバ側データ記憶部５５に記憶される構成となっている。
【００３１】
また、移動情報端末９０は、移動情報端末側制御部９１を有し、移動情報端末側通信装置９２、移動情報端末側ディスプレイ９３、移動情報端末側入力装置９４及び移動情報端末側データ等記憶部９５を有している。
したがって、血糖値測定器１０ａ等から取得した血糖値データは、移動情報端末通信装置９２で受信され、移動情報端末側データ等記憶部９５に記憶され、その後、再び、移動情報端末通信装置９２により、管理サーバ５０に送信される構成となっている。
【００３２】
図３は、図１の血糖値測定器１０ａ等の主な構成を示す概略ブロック図である。図３に示すように、測定装置側制御部１１を有している。また、血糖値測定器１０ａ等は、実際に患者等から血液を採取し、その血糖値データを測定する血糖値測定器本体１２、図１の管理サーバ５０、他の医療機器１０ｂ及び移動情報端末９０等と通信するための通信手段である例えば、測定装置側通信装置１３、測定装置側ディスプレイ１４及び測定装置側入力装置１５等を有している。
【００３３】
また、血糖値測定器１０ａ等は、図３に示すように、各プログラムを有しているが、これらについては、後述する。また、血糖値測定器１０ａ等は、図３に示すように、各種データ記憶部１６を有している。
図４は、図３の各種データ記憶部１６の内容を示す概略ブロック図である。図４については後述する。
図５乃至図８は、本発明の連携通信システムの実施の形態の主な動作等を示す概略フローチャートである。
以下、図５乃至図８に沿って連携通信システムの動作等を説明すると共に、図１乃至図４の構成等も併せて説明する。
【００３４】
先ず、病院等内の患者のベッド脇等に配置されている血糖値測定器１０ａが、図３の血糖値測定装置１２を用いて患者から血糖値データを取得する。
取得された血糖値データ等のバイタルデータ（生体情報）は、図４のバイタル情報記憶部２５に記憶される。
図９は、血糖値測定器１０ａ等の配置例を示す概略説明図である。図９における円は通信範囲を示す。通信に、例えば１３．５６ＭＨｚの電波を用いる場合、通信範囲は最大で半径１ｍ程度となり、通信範囲が比較的狭いために、医療機器（１０ａ，１０ｂ，１０ｃ，１０ｄ，１０ｅ）が相互に、電磁波による誤動作を生じさせる可能性が極めて低いという利点がある。
以下、図９の配置例を適宜示しながら、本実施の形態を説明する。
【００３５】
図５のＳＴ１では、血糖値測定器１０ａが、自己の測定装置側通信装置１３を用いて、図１の管理サーバ５０と通信を試みる。
図９に示すように、血糖値測定器１０ａは、管理サーバ５０の通信範囲内に所在していないので、ＳＴ１では、管理サーバ５０との通信は不可と判断される。
【００３６】
一方、図９の例とは異なり、血糖値測定器１０ａが、管理サーバ５０の通信範囲内に所在していた場合は、管理サーバ５０との通信が可能となり、そのまま通信を開始し、血糖値測定器１０ａは、取得した患者の血糖値データを管理サーバ５０へ送信する。
【００３７】
ＳＴ１で管理サーバ５０との通信ができない場合、ＳＴ３へ進む。
ＳＴ３では、血糖値測定器１０ａは、自己の測定装置側通信装置１３を用いて、血糖値測定器その他の他の医療機器と通信可能か否かを判断する。
図９の例では、血糖値測定器１０ａは、医療機器１０ｂと医療機器１０ｃと通信可能となっているので、ＳＴ３では、他の医療機器と通信可能であると判断する。
【００３８】
ところで、血糖値測定器１０ａ等の各医療機器は、図４に示すように、機器基本情報記憶部３１を有しており、この機器基本情報記憶部３１には、当該医療機器の測定機器ＩＤが記憶されている。
また、各医療機器には、図４に示すように通信対象機器識別情報記憶部３７を有している。この通信対象機器識別情報記憶部３７には、各医療機器１０ｂ等、管理サーバ５０及び移動情報端末９０等の識別情報である通信対象機器識別情報が記憶されている。
このため、他の医療機器から取得した測定機器ＩＤ等と、この通信対象機器識別情報とを比較することで、識別することができるようになっている。
【００３９】
このように、図９の医療機器１０ｂ及び医療機器１０ｃもかかる機器基本情報記憶部３１を有しているため、これら機器基本情報記憶部３１内の測定機器ＩＤの情報を取得し、通信対象機器識別情報と比較することで、血糖値測定器１０ａは、どのような医療機器と通信接続可能かを認識することができる。このような動作は、図３の通信対象判別部（プログラム）１７が動作して実行する。
【００４０】
ＳＴ３で、他の医療機器（図９では、医療機器１０ｂ及び医療機器１０ｃ）と通信が可能な場合は、ＳＴ４へ進む。ＳＴ４では、ＳＴ３で通信可能な他の医療機器を第１次候補機器として、図４の第１次候補機器情報記憶部３２に記憶する。
図９の例では、医療機器１０ｂ及び医療機器１０ｃが、第１次候補機器情報として記憶される。
【００４１】
次いで、ＳＴ５へ進む。ＳＴ５以下では、ＳＴ４で第１次候補機器情報となった医療機器が、血糖値測定器１０ａの中継通信手段である例えば、中継器として機能するか否かついで判断する。
先ず、ＳＴ５では、第１次候補機器情報である医療機器（図９では、医療機器１０ｂ及び医療機器１０ｃ）のそれぞれについて、自己が通信をしている状態であるか否か、すなわち、これらが非通信状態であるか否かを判断する。
各医療機器は、図４に示すように、機器通信情報記憶部３３を有し、この機器通信情報記憶部３３には、当該医療機器が通信状態であるか、非通信状態であるかの情報が記憶されている。
したがって、ＳＴ５では、血糖値測定器１０ａは、測定装置側通信装置１３を用いて、図９の医療機器１０ｂ及び医療機器１０ｃと通信し、これらの上記「通信状態情報／非通信状態情報」を取得することで、医療機器１０ｂ等が通信状態か否かを判断することができる。これらの動作は、図３の対象機器通信情報取得部（プログラム）１８が動作することにより実行される。
【００４２】
ＳＴ５で、非通信状態の医療機器がない場合は、全てが中継器として機能し得ない状態となる。一方、図８の医療機器１０ｂ及び医療機器１０ｃが共に、又は一方が通信状態でない場合は、ＳＴ６へ進む。
ＳＴ６では、通信状態でない医療機器（図９の例では、医療機器１０ｂ及び医療機器１０ｃが共に「非通信状態」とする。）を第２次候補機器として記憶する。
具体的には、図４の第２次候補機器情報記憶部３４に記憶する。
【００４３】
次いで、ＳＴ７へ進む。ＳＴ７では、第２次候補機器情報記憶部３４に記憶されている医療機器（図９の例では、医療機器１０ｂ及び医療機器１０ｃ）の全てが他の医療機器の中継器として動作しているか否かを判断する。
すなわち、例えば、図９の医療機器１０ｂ及び医療機器１０ｃが、血糖値測定器１０ａ以外の医療機器の生体情報を管理サーバ５０へ送信するための中継器として既に動作しているか否かを判断する。
【００４４】
具体的には、図４の機器通信情報記憶部３３内に当該医療機器の中継動作情報である例えば、中継動作情報（中継器として動作）又は非中継動作情報（中継器として動作せず）が記憶されている。
このため、血糖値測定器１０ａが、測定装置側通信装置１３を介して対象とする例えば、医療機器１０ｂ及び医療機器１０ｃと通信し、それらの機器通信情報記憶部３３内の中継動作情報又は非中継動作情報を取得することで、当該医療機器が中継器として動作中であるか否かを判断することができる。
具体的には、図３の対象機器中継動作情報取得部（プログラム）１９が動作して実行する。
【００４５】
ＳＴ７で、第２次候補機器（例えば、医療機器１０ｂ及び医療機器１０ｃ）の一方又は双方が中継器として動作していないと判断された場合（本実施の形態では、双方とも中継器として動作していないとする。）、これらを第３次候補機器として登録する。
具体的には、図４の第３次候補機器情報記憶部３５に記憶される。
【００４６】
次いで、ＳＴ９へ進む。ＳＴ９では、第３次候補機器に登録されている全ての医療機器（例えば、医療機器１０ｂ及び医療機器１０ｃ）が通信不可位置に配置されているか否かを判断する。
病院内等では、医療機器の通信が禁止されている領域があり、ＳＴ９は、かかる通信禁止領域内に医療機器が所在するか否かを判断するものである。かかる領域に所在する医療機器を中継器とすることはできないからである。
【００４７】
具体的には、各医療機器は、図４に示す機器基本情報記憶部３１を有し、この機器基本情報記憶部３１内に当該医療機器の通信不可位置情報である例えば、位置ＩＤ、すなわち、当該医療機器が通信可能位置に所在する旨の通信可能位置情報、又は当該医療機器が通信不可位置に所在する旨の通信不可位置情報が記憶されている。
したがって、血糖値測定器１０ａが、測定装置側通信装置１３を介して対象とする例えば、医療機器１０ｂ及び医療機器１０ｃと通信し、それらの機器基本情報記憶部３１内の位置ＩＤ（通信可能位置情報又は通信不可位置情報）を取得することで、当該医療機器が通信禁止領域等に配置されているか否かを判断することができる。
具体的には、図３の対象機器位置情報取得部（プログラム）２０が動作して実行する。
【００４８】
ＳＴ９で、第３次候補機器（例えば、医療機器１０ｂ及び医療機器１０ｃ）の一方又は双方が通信不可位置に配置されていないと判断された場合（本実施の形態では、双方とも通信不可位置に配置されていないとする。）、ＳＴ１０で、これらを第４次候補機器として登録する。
具体的には、図４の第４次候補機器情報記憶部３６に記憶される。
【００４９】
なお、上述の「通信状態情報／非通信状態情報」、「中継動作情報又は非中継動作情報」及び「通信可能位置情報又は通信不可位置情報」が中継通信可否情報となっている。
また、対象機器通信情報取得部（プログラム）１８、対象機器中継動作情報取得部（プログラム）１９及び対象機器位置情報取得部（プログラム）２０は、医療機器情報取得手段の一例である。
また、第４次候補機器情報は、中継通信手段候補医療機器情報の一例となっている。
【００５０】
このように、第４次候補機器情報が取得されると、血糖値測定装置１０ａと直接通信が可能な医療機器で、且つ中継器となり得る医療機器を特定することができる。
そこで、ＳＴ１１では、第４次候補機器情報である当該中継器となり得る医療機器に、管理サーバ５０と直接、通信可能である医療機器があるか否かを判断する。
【００５１】
ＳＴ１１で、管理サーバ５０と直接、通信可能である医療機器が存在する場合は、ＳＴ１２で当該医療機器を図４の通信経路情報記憶部３８に、通信経路連携情報である例えば、通信経路情報として記憶する。
図９の例の場合は、医療機器１０ｂが相当する。
これにより、血糖値測定器１０ａと管理サーバ５０との間の通信経路として、通信経路情報である当該医療機器を中継器として使用することで、血糖値測定器１０ａは、自己の血糖値データを管理サーバ５０に送信することができることになる。
【００５２】
一方、ＳＴ１１で、第４次候補機器に、直接、管理サーバ５０と通信可能な医療機器が存在しなかった場合は、ＳＴ１３へ進む。ＳＴ１３では、第４次候補機器である医療機器と他の医療機器を組み合わせることで、血糖値測定器１０ａが、管理サーバ５０と通信可能となるか否かを判断する。
すなわち、ＳＴ１３では、血糖値測定器１０ａが、第４次候補機器及び他の医療機器を介在させることで、管理サーバ５０まで通信可能な経路があるか否かを判断する。
【００５３】
図９の例では、医療機器１０ｃでは、医療機器１０ｄ及び医療機器１０ｅを介して管理サーバ５０と通信可能な構成となっている。
【００５４】
具体的には、図３の通信経路探索部（プログラム）２１が動作し、第４次候補機器、例えば、図９の医療機器１０ｃが、その通信範囲内にある医療機器１０ｄから図４の測定機器ＩＤ等のＩＤを取得し、医療機器１０ｃが、どのような機器と通信可能であるかを判断する。
図９の医療機器１０ｄの場合は、さらに通信可能な機器、医療機器１０ｅのＩＤを取得する。そして、医療機器１０ｅが、管理サーバのＩＤを取得するに至り、血糖値測定器１０ａから医療機器１０ｃ、医療機器１０ｄ、医療機器１０ｅ及び管理サーバ５０までの通信経路連携情報である例えば、通信経路情報が取得されることになる。
【００５５】
このようにして取得された通信経路情報は、ＳＴ１４で、第１次暫定通信可能経路情報として、第１暫定通信可能経路情報記憶部３９に記憶される。図９の例では、医療機器１０ｂ、１０ｃ、１０ｄ、１０ｅが通信経路情報として記憶される。
【００５６】
次いで、ＳＴ１５へ進む。ＳＴ１５以下では、ＳＴ１４で記憶した医療機器情報には、第４次候補機器以外の他の医療機器（図９の例では、医療機器１０ｃ、１０ｄ、１０ｅ）が含まれているため、これらについて、上述のＳＴ５（非通信状態の医療機器の存否）、ＳＴ７（他の医療機器の中継器として動作しているか）、ＳＴ９（通信不可位置に配置されているか）と同様の工程を実施する。
【００５７】
先ず、ＳＴ１５では、第１暫定通信可能経路情報を構成する医療機器が通信状態か否かを判断する。図９の例では、医療機器１０ｃ、１０ｄ、１０ｅ等が通信状態であるか判断する。具体的には、図３の通信経路探索部（プログラム）２１が動作して実行する。
ＳＴ１５で、通信状態の医療機器が存在した場合、ＳＴ１６へ進み、第１暫定通信経路情報を構成する医療機器から通信状態の医療機器を除外し、第２暫定通信経路情報として、図４の第２暫定通信経路情報記憶部４０に記憶する。
【００５８】
一方、ＳＴ１５で、通信状態の医療機器が存在しない場合、ＳＴ１７へ進み、第１暫定通信経路情報を構成する医療機器をそのまま第２暫定通信経路情報として、図４の第２暫定通信経路情報記憶部４０に記憶する。
【００５９】
次いで、ＳＴ１８へ進む。ＳＴ１８では、第２暫定通信可能経路情報を構成する医療機器が他の機器のための中継器として動作しているものがあるか否かが判断される。
図９の例では、医療機器１０ｃ、１０ｄ、１０ｅ等が中継器として動作しているか否かが判断される。具体的には、図３の通信経路探索部（プログラム）２１が動作して実行する。
ＳＴ１８で、他の医療機器の中継器として動作している医療機器が存在した場合、ＳＴ２０へ進み、第２暫定通信経路情報を構成する医療機器から中継器として動作している医療機器を除外し、第３暫定通信経路情報として、図４の第３暫定通信経路情報記憶部４１に記憶する。
一方、ＳＴ１８で、他の医療機器の中継器として動作している医療機器が存在しない場合、ＳＴ２０へ進み、第２暫定通信経路情報を構成する医療機器をそのまま第３暫定通信経路情報として、図４の第３暫定通信経路情報記憶部４１に記憶する。
【００６０】
次いで、ＳＴ２１へ進む。ＳＴ２１では、第３暫定通信可能経路情報を構成する医療機器が通信不可の位置に配置されている否かが判断される。
図９の例では、医療機器１０ｃ、１０ｄ、１０ｅ等が通信不可位置に配置されているか否かが判断される。具体的には、図３の通信経路探索部（プログラム）２１が動作して実行する。
ＳＴ２１で、通信不可位置に配置されている医療機器が存在した場合、ＳＴ２２へ進み、第３暫定通信経路情報を構成する医療機器から通信不可位置に配置されている医療機器を除外し、第４暫定通信経路情報として、図４の第４暫定通信経路情報記憶部４２に記憶する。
一方、ＳＴ２１で、通信不可位置に配置されている医療機器が存在しない場合、ＳＴ２３へ進み、第３暫定通信経路情報を構成する医療機器をそのまま第４暫定通信経路情報として、図４の第４暫定通信経路情報記憶部４２に記憶する。
【００６１】
このように、第４暫定通信経路情報記憶部４２の医療機器は、全て通信状態ではなく、他の中継器として動作しておらず、さらに、通信不可位置に配置されていないため、血糖値測定器１０ａの中継器として機能させることができる医療機器となっている。
したがって、第４暫定通信経路情報は、修正通信経路連携情報の一例となっている。
【００６２】
次いで、ＳＴ２４へ進む。ＳＴ２４では、第４暫定通信可能経路情報である医療機器のうち、最も連携の少ない通信経路を探索し、その結果を通信経路情報記憶部３８に記憶させる。
これにより、血糖値測定器１０ａは、第４暫定通信可能経路情報の中で、管理サーバ５０まで最も少ない医療機器の組み合わせ情報を取得することができる。
【００６３】
次いで、ＳＴ２５へ進む。ＳＴ２５では、ＳＴ１２又はＳＴ２４で記憶された通信経路情報に従い、血糖値測定器１０ａが、図４のバイタル情報記憶部２５に記憶している血糖値データを管理サーバ５０へ送信する。
したがって、本実施の形態では、直接、通信で血糖値データを管理サーバ５０へ送信できない血糖値測定器１０ａ等の医療機器であっても、新たな設備を設置する必要なく、従来の設備をそのまま利用し、極めて低コストで、自己のデータを円滑に管理サーバ５０へ送信することができる。
【００６４】
次いで、ＳＴ２６へ進む。ＳＴ２６では、ＳＴ２５で実行されている通信を行っている通信経路を構成し、中継器として動作している医療機器の通信不可等の事情が、後発的に発生したか否かが判断され、発生した場合は、ＳＴ２７で、データの送信元である血糖値測定器１０ａに通知される構成となっている。
具体的には、当該事情が発生した医療機器の通信状態不可情報発信部（プログラム）２２が（図３参照）動作して実行する。
したがって、データの送信元である血糖値測定器１０ａは、迅速に、従来の通信経路が使用できないことを把握することができる。
【００６５】
また、ＳＴ３で、他の医療機器と全く通信ができないときは、図５のＳＴ３１で、図１の移動情報端末９０と通信可能か否かを判断する。
具体的には、血糖値測定器１０ａの図３の移動情報端末探索部（プログラム）２３が動作し実行する。この移動情報端末探索部（プログラム）２３が、移動情報端末装置探索手段の一例である。
【００６６】
ＳＴ３１で、移動情報端末９０と通信可能な場合は、ＳＴ３２で、血糖値測定器１０ａは、その血糖値データを、移動情報端末９０へ送信する。すると、移動情報端末９０は、図２の移動情報端末側データ等記憶部９５に、血糖値測定器１０ａの血糖値データを記憶する。
【００６７】
その後、移動情報端末９０が、移動し、管理サーバ５０の通信範囲内に入ったときに、ＳＴ３３のように、移動情報端末９０が管理サーバ５０と通信可能か否かが判断される。
そして、通信可能の場合は、ＳＴ３４に示すように、血糖値測定器１０ａから受信した血糖値データを、移動情報端末９０が管理サーバ５０へ送信することになる。
したがって、たとえ、血糖値測定器１０ａが、他の医療機器を中継器として用いることができない場合でも、移動情報端末９０を用いることで、血糖値測定器１０ａは、自己が取得した血糖値データを管理サーバ５０へ送信することができる。
【００６８】
なお、血糖値測定器１０ａ等の医療機器の移動情報端末９０へのデータ送信は、ＳＴ３以外の例えば、ＳＴ９及びＳＴ１３で医療機器を中継器として使用できない場合に行ってもよい。
【００６９】
本発明は、上述の各実施の形態に限定されない。
【符号の説明】
【００７０】
１０ａ・・・血糖値測定器、１０ｂ・・・医療機器、１１・・・測定装置側制御部、１２・・・血糖値測定器本体、１３・・・測定装置側通信装置、１４・・・測定装置側ディスプレイ、１５・・・測定装置側入力装置、１６・・・各種データ記憶部、１７・・・通信対象判別部（プログラム）、１８・・・対象機器通信情報取得部（プログラム）、１９・・・対象機器中継動作情報取得部（プログラム）、２０・・・対象機器位置情報取得部（プログラム）、２１・・・通信経路探索部（プログラム）、２２・・・通信状態不可情報発信部（プログラム）、２３・・・移動情報端末探索部（プログラム）、２５・・・バイタル情報記憶部、３１・・・機器基本情報記憶部、３２・・・第１次候補機器情報記憶部、３３・・・機器通信情報記憶部、３４・・・第２次候補機器情報記憶部、３５・・・第３次候補機器情報記憶部、３６・・・第４次候補機器情報記憶部、３７・・・通信対象機器識別情報記憶部、３８・・・通信経路情報記憶部、３９・・・第１暫定通信可能経路情報記憶部、４０・・・第２暫定通信経路情報記憶部、４１・・・第３暫定通信経路情報記憶部、４２・・・第４暫定通信経路情報記憶部、５０・・・管理サーバ、５１・・・管理サーバ側制御部、５２・・・管理サーバ側通信装置、５３・・・管理サーバ側ディスプレイ、５４・・・管理サーバ側入力装置、５５・・・管理サーバ側データ等記憶部、９０・・・移動情報端末、９１・・・移動情報端末側制御部、９２・・・移動情報端末側通信装置、９３・・・移動情報端末側ディスプレイ、９４・・・移動情報端末側入力装置、９５・・・移動情報端末側データ等記憶部
【図１】
2011176745.tif 000003
【図２】
2011176745.tif 000004
【図３】
2011176745.tif 000005
【図４】
2011176745.tif 000006
【図５】
2011176745.tif 000007
【図６】
2011176745.tif 000008
【図７】
2011176745.tif 000009
【図８】
2011176745.tif 000010
【図９】
2011176745.tif 000011